(57)【要約】【課題】ドラム式洗濯機などの重量家電製品の運搬や設置を容易にする。【解決手段】洗濯機本体１の前面下方に設けた筐体４と、筐体４に形成した傾斜面または曲面５と、傾斜面または曲面５に設けられたフェルト等の滑り性のある緩衝材６とを備え、筐体４は洗濯機本体１の底面と設置面との間に、傾斜面および曲面５を前面にして洗濯機本体１に着脱可能に挿入し、洗濯機本体１を正立状態から筐体４側に傾斜させることによって、洗濯機本体１を設置面から浮かせ、緩衝材６を介し設置面を滑らすことによって洗濯機本体１を移動可能としたので、作業者１人でも容易に製品の移動や設置ができるようになる。【選択図】図２
2008036268.tif 000002
【特許請求の範囲】
【請求項１】
洗濯機本体と、前記洗濯機本体の前面下方に設けた筐体と、前記筐体に形成した傾斜面または曲面と、前記傾斜面または曲面に設けられたフェルト等の滑り性のある緩衝材とを備え、前記筐体は前記洗濯機本体の底面と設置面との間に、前記傾斜面または曲面を前面にして前記洗濯機本体の前面下方に狭持又は着脱可能に挿入され、前記洗濯機本体を正立状態から前記筐体側に傾斜させることによって、前記洗濯機本体は前記筐体を支点に荷重支持され、てこの原理で設置面から浮き上がり、任意の傾斜角度に調整可能とするとともに、前記緩衝材を介し設置面を滑らすことによって前記洗濯機本体を移動可能な構成とした洗濯機用設置治具。
【請求項２】
筐体は、挿入面の高さを、洗濯機を設置する防水フロアーの壁面の高さより高くした、請求項１記載の洗濯機用設置治具。
【請求項３】
緩衝材表面をＰＰシート等の剛体で着脱自在に覆った請求項１または２に記載の洗濯機用設置治具。
【発明の詳細な説明】
【技術分野】
【０００１】
本発明は、ドラム式洗濯機などの重量家電製品の運搬設置治具に関するものである。
【背景技術】
【０００２】
従来、ドラム式洗濯機の運搬および設置は、図７に示すような方法であった。以下、その方法について説明する。
【０００３】
図７に示すように、ドラム式洗濯機本体（以下製品）１を運搬および設置する場合、製品重量が８０ｋｇ以上の機種もあるので、まず、手押し車に載置して設置場所近傍まで運んだり、２人以上の作業者で抱えて目的の場所まで運んだ後、設置場所近傍に下ろす。
【０００４】
さらに近年は、洗濯機の設置場所等は床面への漏水や、結露水の滴下の浸入を防止する為の防水フロアー２が完備していることが多いので、製品１を防水フロアー２の内部に設置しなければならない。
【０００５】
上記防水フロアー２に設置する場合は、設置場所周囲にスペースがある場合は、二人で抱えて上方から設置できるが、その作業を行うスペースがない場合は、作業者一人で抱え、製品１の後脚３をまず防水フロアー２上に置き、前脚を持ち上げたその状態のままで、左右に僅かづつ製品を滑るように、ずらせながら無理やり奥に押し込む作業をしていた。
【０００６】
あるいは、前記の作業性の悪さを改善させる他の方式として、防水フロアーの壁２ａの前面部を構成しないようにして、製品１を前方より滑らせて設置する事も提案されている（例えば、特許文献１参照）。
【特許文献１】特開平１１−１６６２５４号公報
【発明の開示】
【発明が解決しようとする課題】
【０００７】
しかしながら、前記従来の構成では、無理にずらせて押し込んだりすると壁や防水フロアーを傷つけたり、製品の脚に取り付けた防振ゴム（図示せず）が剥離したりして、本来の機能を発揮しなくなり、振動騒音の原因となっていた。さらにまた作業者に対する肉体的負荷も大きく、腰痛などの原因となっていた。
【０００８】
また、引用文献１に示すような、防水フロアーの前面の壁を構成しない方式では、製品の設置作業は改善され、また、製品からの真下への漏水等は防止できるが、前面への水の流出を防ぐ事は出来ない為、床面への防水は完全な方式とはならない構成である、という課題があった。
【課題を解決するための手段】
【０００９】
本発明は上記課題を解決するために、洗濯機本体の前面下方に筐体を着脱自在に配設し、この筐体に傾斜面または曲面に設け、かつ前記傾斜面または曲面にフェルト等の滑り性のある緩衝材を備え、前記洗濯機本体を正立状態から前記筐体側に傾斜させて洗濯機本体の荷重を支持し、前記緩衝材を介し設置面を滑らすことによって移動可能な構成としたものである。
【００１０】
これにより、作業者１人でも容易に製品を移動及び、設置が可能になる。
【発明の効果】
【００１１】
本発明の洗濯機用設置治具は、防水フロアー等を備えた設置場所に、重量のある製品を容易に設置することが出来る。
【発明を実施するための最良の形態】
【００１２】
第１の発明は、洗濯機本体と、前記洗濯機本体の前面下方に設けた筐体と、前記筐体に形成した傾斜面または曲面と、前記傾斜面または曲面に設けられたフェルト等の滑り性のある緩衝材とを備え、前記筐体は前記洗濯機本体の底面と設置面との間に、前記傾斜面または曲面を前面にして前記洗濯機本体の前面下方に狭持又は着脱可能に挿入され、前記洗濯機本体を正立状態から前記筐体側に傾斜させることによって、前記洗濯機本体は前記筐体を支点に荷重支持され、てこの原理で設置面から浮き上がり、任意の傾斜角度に調整可能とするとともに、前記緩衝材を介し設置面を滑らすことによって前記洗濯機本体を移動可能な構成としたものであり、作業者１人でも容易に製品を移動及び、設置が可能になる。
【００１３】
第２の発明は、特に第１の発明の筐体の挿入面の高さを、洗濯機を設置する防水フロアーの壁面の高さより高くすることによって、防水フロアー内から製品を容易に出し入れできるようになるので、防水フロアーの機能を損なうことなく容易に設置が可能となる。
【００１４】
第３の発明は、特に第１または第２の発明の緩衝材の表面をＰＰシート等の剛体で覆い、移動面が絨毯等のフェルト等の緩衝材と絡みやすい面でも、ＰＰシートなどの剛体を間に介すことにより、摩擦抵抗を軽減すると同時に、絡みをなくし滑りやすくしたものであり、作業者１人でも移動及び設置が可能となる。
【００１５】
以下、本発明の実施の形態について、図面を参照しながら説明する。従来例と同じ構成のものは同一符号を付して詳細な説明は省略する。なお、この実施の形態によって本発明が限定されるものではない。
【００１６】
（実施の形態１）
図１は、本発明の第１の実施の形態におけるドラム式洗濯機および設置治具の外観図、図２は、同ドラム式洗濯機および設置治具の断面図、図３は、同ドラム式洗濯機および設置治具による設置動作説明図、図４は、同設置治具の外観図を示すものである。
【００１７】
図１の外観図に示すように、洗濯機本体１の前方下部には、筐体４を矢印Ｋの方向から装着する。筐体４は、発泡スチロールなどの軽量で所定の強度を有する材料で形成され、傾斜面または曲面５と、傾斜面または曲面５に設けられたフェルトなど滑り性のある緩衝材６とを備え、洗濯機本体１の底面７と設置面８との間に傾斜面または曲面５を前面にして装着される。
【００１８】
図２の断面図に示すように、洗濯機本体１内部に、円周上に多数の小孔９を形成した洗濯兼脱水槽１０を、内部に回転自在に軸支した水槽１１を防振ばね１２等で垂下防振支持する。洗濯機本体１の上部前面には開閉自在に蓋体１３を構成すると共に、下方には洗濯機本体１を支える枠体１４および、枠体１４に固着した設置脚１８を配する。
【００１９】
水槽１１の下方には排水口１５を形成し、排水弁１６を介して排水ホース１７より水槽１１内部の洗濯水等を排出する。排水弁１６や、排水ホース１７等の排水経路からの万一の場合の水漏れや、水槽１１内部に給水された洗濯水の水温と、洗濯機設置場所の気温や湿度により水槽１１の外壁に結露した水分の滴下等から、設置場所の床面を水分から保護する為に、周囲に張り巡らせた壁面２ａを有する防水フロアー２を設けることが一般的である。
【００２０】
図３の設置動作説明図に示すように、筐体４を取り付けた洗濯機本体１を正立状態から筐体４を支点にして前面に傾斜させることによって、筐体４によって洗濯機本体１の荷重を支持し、てこの原理で容易に設置脚１８を浮かすことができる。
【００２１】
さらに、筐体４に設けられた傾斜面または曲面５に沿って傾け、洗濯機本体１を作業者の体格に合わせた任意の傾斜角度に調整し、作業者の体重を利用して押圧し、摩擦係数の低い緩衝材６によって設置面８を滑らすことによって移動可能となる。
【００２２】
さらに、筐体４の挿入面の高さＡを防水フロアーの壁面高さＢより高くすることによって、筐体４を支点に洗濯機本体１を時計方向に回動動作させることにより、防水フロアー２の壁面を乗り越えさせることが可能となり、作業者１人でも洗濯機本体１を防水フロアー２内に設置したり、あるいは取り出したりする事が可能となる。
【００２３】
さらに図４に示すように、緩衝材６表面にＰＰシート等の剛体６ａをマジックテープ（登録商標）６ｂ等で着脱自在に取り付け、移動面が絨毯等のフェルト等の緩衝材６と絡みやすい面でも、ＰＰシートなどの剛体６ａを間に介すことにより、摩擦抵抗を軽減すると同時に、絡みをなくし滑りやすくすることで、作業者１人でも移動及び、設置が可能となる。
【００２４】
以上のように、本実施の形態では、床面との摩擦係数の低い緩衝材を有する筐体を、洗濯機本体下方に着脱自在に配した事により、筐体を支点として洗濯機本体を前方に傾斜させて移動するので、重量のある製品を一人の作業者で運搬、設置することができる。
【００２５】
また、本実施の形態の筐体の挿入面の高さを、洗濯機を設置する防水フロアーの壁面より高くすることにより、洗濯機本体を回動動作させることにより、防水フロアーの壁面を乗り越えさせることが可能となり、防水フロアーの機能を損なうことなく容易に設置が可能となる。
【００２６】
また、緩衝材表面にＰＰシート等の剛体をマジックテープ（登録商標）等で着脱自在に取り付けることで、移動面が絨毯等のフェルト等の緩衝材と絡みやすい面でも、ＰＰシート等の剛体を間に介すことにより摩擦抵抗を軽減すると同時に、絡みをなくし滑りやすくし、作業者１人でも移動及び、設置が可能となる。
【００２７】
（実施の形態２）
図５は、本発明の第２の実施の形態におけるドラム式洗濯機および設置治具の断面図、図６は、同設置治具の外観図である。
【００２８】
筐体４は合成樹脂成型部材等で構成し、洗濯機本体１側を開放口とする断面略コ字状に形成した箱形状とし、内部に補強用のリブ２１を複数条形成する。コ字状の下方角部分は傾斜面または曲面５を構成し、その外面には家屋の床面との摩擦係数の低いフェルト等の材質でなる緩衝材６を接着等で固着する。
【００２９】
筐体４の洗濯機本体１への装着は、筐体４に形成した先端部に溝２４を形成した取付ピン２２を、枠体１４の縦壁部に形成した取付穴２５に挿入することにより行う。取付ピン２２の先端部の溝２４により取付ピン２２は弾性を有するので、枠体１４の洗濯機本体１への着脱が自在としている。なお本実施の形態では図６のように取付ピン２２は、２本形成しているが、洗濯機本体１の大きさにより本数の数を増減してもよい。また、枠体４の長手方向の寸法幅Ｗは、洗濯機本体１の幅よりやや小さい寸法にして製品の重量を幅広く支えるようにする。また、洗濯機本体１の下方に挿入する、挿入面２０の高さＡは、防水フロアー２の壁面２ａの高さＢ（図３参照）との関係を、Ａ＞Ｂとなるように構成した。
【００３０】
以上の構成における動作、作用および効果については実施の形態１と同様である。
【産業上の利用可能性】
【００３１】
以上のように、本発明にかかる洗濯機用設置治具は、簡単な構成で重量家電製品の移動や設置が可能となるので、この種の重量製品の運搬設置治具として適用できる。
【図面の簡単な説明】
【００３２】
【図１】本発明の実施の形態１におけるドラム式洗濯機および設置治具の外観図
【図２】同ドラム式洗濯機および設置治具の断面図
【図３】同ドラム式洗濯機および設置治具による設置動作説明図
【図４】同設置治具の外観図
【図５】本発明の実施の形態２におけるドラム式洗濯機および設置治具の断面図
【図６】同設置治具の外観図
【図７】従来のドラム式洗濯機の設置方法説明図
【符号の説明】
【００３３】
１    洗濯機本体
２    防水フロアー
２ａ  壁面
４    筐体
５    傾斜面または曲面
６    緩衝材
６ａ  剛体
２０  挿入面
【図１】
2008036268.tif 000003
【図２】
2008036268.tif 000004
【図３】
2008036268.tif 000005
【図４】
2008036268.tif 000006
【図５】
2008036268.tif 000007
【図６】
2008036268.tif 000008
【図７】
2008036268.tif 000009